(57)【要約】【課題】  紙幣の回収が容易であって、かつ安全性の高い紙幣収納庫およびその電子錠装置を提供する。【解決手段】  Ｎ台の遊技機３Ａ〜３Ｎは、遊技店内に設置した遊技島の片面を構成するパチスロマシーンであって、それらの側部には遊技媒体貸機１Ａ〜１Ｎが設置されている。これらの遊技媒体貸機１Ａ〜１Ｎは、いずれも紙幣投入用の開口部１１、制御用信号を受信するリモコン受光部１２、およびメダル払出し部１３を備え、それぞれ内部に設けられた紙幣収納庫１６には個別のアドレス「１」ないし「Ｎ」が付されている。これらのアドレスは、それぞれ各遊技媒体貸機１Ａ〜１Ｎ内部の制御部において記憶される。各遊技媒体貸機１Ａ〜１Ｎの正面上部には紙幣収納庫扉２０があって、それらを施錠するためのアクチュエータが互いにＲＳ４８５のような信号転送路２Ａ，２Ｂ…２（Ｎ−１）によりケーブル接続されている。【選択図】  図１
2006200139.tif 000002
【特許請求の範囲】
【請求項１】
施錠可能な扉を備えた紙幣収納庫において、
前記扉の解錠信号とともにＩＤ信号を受信する受信部と、
前記受信部で受信したＩＤ信号のＩＤを解読して、予め設定された固有のＩＤと一致した場合だけ前記解錠信号により施錠されている前記扉を開放する信号解読部と、
を備えたことを特徴とする紙幣収納庫。
【請求項２】
前記信号解読部は、固有のＩＤを変更可能としたことを特徴とする請求項１記載の紙幣収納庫。
【請求項３】
それぞれ施錠可能な扉を備えた複数の紙幣収納部からなる紙幣収納庫において、
前記扉の解錠信号とともにＩＤ信号を受信する受信部と、
受信されたＩＤ信号を他の紙幣収納部に転送する信号転送手段と、
前記受信部で受信したＩＤ信号、あるいは前記信号転送手段から転送されたＩＤ信号のＩＤを解読して、予め設定された固有のＩＤと一致した場合だけ施錠されている前記扉を開放する信号解読部と、
を前記各紙幣収納部に備え、
前記各紙幣収納部の間がそれぞれ前記信号転送手段によって接続されていることを特徴とする紙幣収納庫。
【請求項４】
前記信号解読部は、固有のＩＤを変更可能としたことを特徴とする請求項３記載の紙幣収納庫。
【請求項５】
施錠可能な扉を備えた紙幣収納庫の電子錠装置において、
前記扉の解錠信号とともにＩＤ信号を受信する受信部と、
前記扉の解錠信号および所定のＩＤ信号を送信するリモコン手段と、
前記リモコン手段から送信されたＩＤ信号のＩＤを解読して、予め設定された固有のＩＤと一致した場合だけ前記解錠信号により施錠されている前記扉を開放する信号解読部と、
を備えたことを特徴とする紙幣収納庫の電子錠装置。
【請求項６】
前記リモコン手段は、
任意のＩＤを設定する設定手段と、
前記設定手段で設定されたＩＤをＩＤ信号として送信する送信手段と、
を備えたことを特徴とする請求項５記載の紙幣収納庫の電子錠装置。
【請求項７】
それぞれ施錠可能な扉を備えた複数の紙幣収納部からなる紙幣収納庫の電子錠装置において、
前記扉の解錠信号とともにＩＤ信号を受信する受信部と、
受信されたＩＤ信号を他の紙幣収納部に転送する信号転送手段と、
前記受信部で受信したＩＤ信号、あるいは前記信号転送手段から転送されたＩＤ信号のＩＤを解読して、予め設定された固有のＩＤと一致した場合だけ施錠されている前記扉を開放する信号解読部と、
を前記各紙幣収納部に備え、
さらに、前記各紙幣収納部に対して前記扉の解錠信号および所定のＩＤ信号を送信するリモコン手段を備え、
前記各紙幣収納部の間がそれぞれ前記信号転送手段によって接続されていることを特徴とする紙幣収納庫の電子錠装置。
【請求項８】
前記リモコン手段は、
任意のＩＤを設定する設定手段と、
前記設定手段で設定されたＩＤをＩＤ信号として送信する送信手段と、
を備えたことを特徴とする請求項７記載の紙幣収納庫の電子錠装置。
【請求項９】
前記リモコン手段は、
前記各紙幣収納部の全ての扉を一斉に解錠する解錠信号、および前記解錠信号が受信された前記紙幣収納部の扉のみを解錠する解錠信号を切り換えて送信する送信手段と、
を備えたことを特徴とする請求項８記載の紙幣収納庫の電子錠装置。
【発明の詳細な説明】
【技術分野】
【０００１】
本発明は、遊技媒体を貸し出すメダルサンドなどの紙幣収納庫およびその電子錠装置に関し、とくに複数台の遊技機を列設した遊技島において、隣接する各遊技機間に設置された紙幣収納庫およびその電子錠装置に関する。
【背景技術】
【０００２】
従来から、例えばパチンコ機やパチスロ機などの遊技機では、紙幣を受け入れて遊技機で使用する遊技媒体としてメダルを貸し出すために、メダルサンド（遊技媒体貸機）が併設される。
【０００３】
図４は、メダルサンドの構成を示す正面図、および側面図である。メダルサンド１０の正面部分には、紙幣投入用の開口部１１、制御用信号を受信するリモコン受光部１２、およびメダル払出し部１３を備えている。メダルサンド１０は、その開口部１１に投入された投入金額に応じてメダル払出し部１３から所定の枚数のメダルを払出すものであって、その内部には投入紙幣の真偽を鑑別する紙幣鑑別部１４、投入紙幣のうち受け入れられた真正紙幣１５（以下、単に紙幣１５という。）を収納する紙幣収納庫１６、外部から補給されたメダルを保持するメダル補給部１７、払出し部１３へのメダルを一時滞留させるメダルホッパー１８、および制御部１９を備えている。さらに、このメダルサンド１０の正面上部には紙幣収納庫１６を外部に取り出すための紙幣収納庫扉２０が、正面中央部にはメダル補給部１７にメダルを補給するためのメダル補給扉２１が設けられている。
【０００４】
このような紙幣収納庫１６を備えたメダルサンド１０において、遊技場の閉店後などに複数の紙幣収納庫扉２０が一斉に開放され、それぞれ紙幣収納庫１６から紙幣１５が回収される。その場合、各メダルサンド１０に設けたリモコン受光部１２に、図示しないリモコンから制御用信号が送信され、制御部１９から紙幣収納庫扉２０を施錠しているソレノイドなどのアクチュエータ２２を作動させることで、扉開放用の鍵２３が解錠され紙幣収納庫扉２０の自動開放が行われる。また、開店中の遊技場であっても、紙幣収納庫１６が紙幣１５で満杯になった場合などには、個別のメダルサンド１０の紙幣収納庫扉２０を開閉操作する必要がある。その場合、一般にはリモコンによりメダルサンド１０に個別の解錠信号を送信して、その紙幣収納庫扉２０の解錠を行っていた。
【０００５】
また、上述したメダルサンド１０においては、そのリモコン受光部１２が故障した場合を想定して、個別の鍵２３には機械式の錠が挿入できる開扉用鍵穴２４が設けられている。ここでは、メダル補給扉２１についても紙幣収納庫扉２０と同様に、扉開放用の鍵２５とその開扉用鍵穴２６が設けられている。
【０００６】
特許文献１には、紙幣を受け入れて遊技媒体を貸し出させる遊技媒体貸出制御装置および遊技媒体貸出制御システムの発明が記載されている。ここでは、複数のメダルサンドに紙幣搬送機構を設置して紙幣を自動的に回収すると、紙幣搬送機構の設置コストが高くなることから、店員が各メダルサンドを順に回って人手で回収作業を行うようにしている。その場合に、特許文献１のシステムによれば、紙幣有り、紙幣無しの情報を各メダルサンドから管理装置に送信して、各メダルサンドにおける紙幣有り、紙幣無しの情報を表示することで、紙幣の回収忘れを防止できる利点がある。
【０００７】
また、特許文献２には、遠隔コントロール手段を用いた遊技機におけるカード回収装置の発明が記載されている。ここでは、カード式遊技機のプリペイドカードを回収ボックスから回収する際に、機械式の錠を用いることなく、施錠、解錠の手間がかからないように、リモコン装置のような遠隔コントロール手段が用いられる。
【０００８】
さらに、特許文献３には、鍵ユニット、ユニットコントローラおよび遊技場鍵システムの発明が記載されている。この発明によれば、例えば遊技場ホールに設置される複数の遊技機に対する扉体の開閉監視機能を高めて、しかも、必要に応じて、開閉操作を容易化することができる遊技場鍵システムやその構成要素を提供できる。
【特許文献１】特開２００３−３１１００８号公報
【特許文献２】登録実用新案第３０４２０９５号公報
【特許文献３】特開２００２−１３６７４３号公報
【発明の開示】
【発明が解決しようとする課題】
【０００９】
このように、従来のパチンコ機やパチスロ機などの遊技機に併設されるメダルサンド１０は、リモコン受光部１２から扉開放用の鍵２３を解錠するように構成されていた。しかし、リモコン受光部１２のトラブル発生を想定して、個別に開扉用鍵穴２４を設けて機械式の鍵による解錠も可能となっていた。そのため、機械式の鍵やリモコンの盗難のおそれ、あるいは機械式の鍵ではその模倣、盗用のおそれなどがあって、紙幣収納庫のセキュリティ上、好ましくないという問題があった。
【００１０】
本発明はこのような点に鑑みてなされたものであり、例えばパチンコ機やパチスロ機などの遊技機の内部に投入された紙幣の回収が容易であって、かつ安全性の高い紙幣収納庫およびその電子錠装置を提供することを目的とする。
【課題を解決するための手段】
【００１１】
本発明では、上記問題を解決するために、施錠可能な扉を備えた紙幣収納庫であって、前記扉の解錠信号とともにＩＤ信号を受信する受信部と、前記受信部で受信したＩＤ信号のＩＤを解読して、予め設定された固有のＩＤと一致した場合だけ前記解錠信号により施錠されている前記扉を開放する信号解読部とを備えたことを特徴とする紙幣収納庫が提供される。
【００１２】
また、本発明の紙幣収納庫は、それぞれ施錠可能な扉を備えた複数の紙幣収納部からなるものであって、前記扉の解錠信号とともにＩＤ信号を受信する受信部と、受信されたＩＤ信号を他の紙幣収納部に転送する信号転送手段と、前記受信部で受信したＩＤ信号、あるいは前記信号転送手段から転送されたＩＤ信号のＩＤを解読して、予め設定された固有のＩＤと一致した場合だけ施錠されている前記扉を開放する信号解読部とを前記各紙幣収納部に備え、前記各紙幣収納部の間がそれぞれ前記信号転送手段によって接続されていることを特徴とする。
【００１３】
また本発明によれば、施錠可能な扉を備えた紙幣収納庫の電子錠装置であって、前記扉の解錠信号とともにＩＤ信号を受信する受信部と、前記扉の解錠信号および所定のＩＤ信号を送信するリモコン手段と、前記リモコン手段から送信されたＩＤ信号のＩＤを解読して、予め設定された固有のＩＤと一致した場合だけ前記解錠信号により施錠されている前記扉を開放する信号解読部とを備えたことを特徴とする紙幣収納庫の電子錠装置が提供される。
【００１４】
さらに本発明の紙幣収納庫の電子錠装置は、それぞれ施錠可能な扉を備えた複数の紙幣収納部からなるものであって、前記扉の解錠信号とともにＩＤ信号を受信する受信部と、受信されたＩＤ信号を他の紙幣収納部に転送する信号転送手段と、前記受信部で受信したＩＤ信号、あるいは前記信号転送手段から転送されたＩＤ信号のＩＤを解読して、予め設定された固有のＩＤと一致した場合だけ施錠されている前記扉を開放する信号解読部とを前記各紙幣収納部に備え、さらに、前記各紙幣収納部に対して前記扉の解錠信号および所定のＩＤ信号を送信するリモコン手段を備え、前記各紙幣収納部の間がそれぞれ前記信号転送手段によって接続されていることを特徴とする。
【発明の効果】
【００１５】
本発明によれば、リモコン受光部が故障しても他のメダルサンドに設けたリモコン受光部を経由する制御用信号によって解錠できる。したがって、鍵を使用しなくとも良い。鍵をこじ開けられる心配がないため、セキュリティ向上につながる。また、解錠がリモコンからの信号のためセキュリティが高い。機械式の鍵と異なり模倣される可能性が非常に少ない。さらに、全ての解錠操作がリモコンで行えるとともに、電気的にＩＤを変更設定することで高度なセキュリティを実現できる。
【発明を実施するための最良の形態】
【００１６】
以下、図面を参照してこの発明の紙幣収納庫とその電子錠装置について説明する。図１は、実施の形態に係る紙幣収納庫を備えた遊技機の列設状態を示す図である。
図示したＮ台の遊技機３Ａ〜３Ｎは、遊技店内に設置した遊技島の片面を構成するパチスロマシーンであって、それらの側部には遊技媒体貸機１Ａ〜１Ｎが設置されている。これらの遊技媒体貸機１Ａ〜１Ｎは、いずれも紙幣投入用の開口部１１、制御用信号を受信するリモコン受光部１２、およびメダル払出し部１３を備え、図４に示すメダルサンド１０と同様の構成をなしている。すなわち、各遊技媒体貸機１Ａ〜１Ｎは、その開口部１１に投入された紙幣の金額に応じてメダル払出し部１３から所定の枚数のメダルを払出すように構成されており、その正面上部で開閉する紙幣収納庫扉２０と、内部に投入された紙幣を収納する紙幣収納庫１６とを備えている。
【００１７】
各遊技媒体貸機１Ａ〜１Ｎは、それぞれの紙幣収納庫に個別のアドレス「１」ないし「Ｎ」がＩＤ番号として付与されるとともに、それぞれ内部の制御部でアドレスが記憶されている。また、各遊技媒体貸機１Ａ〜１Ｎの正面上部で開閉する各紙幣収納庫扉を施錠するためのアクチュエータは、互いにＲＳ４８５のような信号転送路２Ａ，２Ｂ…２（Ｎ−１）によりケーブル接続されている。
【００１８】
図２は、遊技媒体貸機の紙幣収納庫扉を解錠するためのリモコン装置の操作盤を示す図である。
このリモコン装置４は、各遊技媒体貸機１Ａ〜１Ｎのリモコン受光部１２を介して紙幣収納庫扉２０の解錠信号とＩＤ信号を送信するものであって、複数のキー（押しボタン）４１〜４６と、それらに連動して所定の信号光（赤外線）を発射するための送信手段とが備えられている。「個別解錠」キー４１は、アドレス指定なしの解錠信号を発射するためのものであり、「個別解錠」キー４２は、特定のアドレス指定を含む解錠信号を発射するためのものである。また、「一斉解錠」キー４３は、ケーブル接続された全ての遊技媒体貸機１Ａ〜１Ｎの紙幣収納庫１６についての解錠信号を発射するためのものである。テンキー４４は、紙幣収納庫１６のアドレスを指定するためのものであり、「個別解錠」キー４２とともに使用される。さらに、「取消」キー４５はテンキー４４の入力を取消すために使用されるもの、「ＩＤ」キー４６は各遊技媒体貸機１Ａ〜１Ｎのアクチュエータに特定のアドレスを付与するために使用されるものである。
【００１９】
すなわち、リモコン装置４の「個別解錠」キー４１を押下げて対象となるリモコン受光部１２に指定なしの解錠信号を送信したときは、特定された紙幣収納庫扉２０のアクチュエータによる施錠状態のみを解除できる。いま、例えば遊技店の営業時間内に特定の紙幣収納庫１６が満杯となった場合を考える。その場合に、個別の遊技媒体貸機１Ａ〜１Ｎの紙幣収納庫扉２０だけを開いて、そこから紙幣を回収しなければならない。そこで、この「個別解錠」キー４１を押下して、リモコン装置４から発射された信号光を各遊技媒体貸機１Ａ〜１Ｎのうち特定のリモコン受光部１２に入射させることで、対応する個別の紙幣収納庫扉２０を解錠し、紙幣を回収することができる。
【００２０】
また、閉店後の紙幣回収時などには、遊技島の対象面に設置された何れかの遊技媒体貸機１Ａ〜１Ｎに対して、「一斉解錠」キー４３の押下により解錠信号を送信する。これにより、ケーブル接続されている島片面全ての遊技媒体貸機１Ａ〜１Ｎの紙幣収納庫扉２０を一斉に解錠することができる。
【００２１】
さらに、この紙幣収納庫１６では、リモコン装置４から紙幣収納庫扉２０の解錠信号と所定のＩＤ信号を送信し、それら解錠信号とＩＤ信号をリモコン受光部１２で受信するとともに受信したＩＤ信号のＩＤを解読して、予め設定された固有のＩＤと一致した場合だけ解錠信号により紙幣収納庫扉２０を開放するようにしてもよい。そうすれば、機械式の鍵と異なり、電気的にＩＤを変更設定できるから、高度なセキュリティを実現できる。
【００２２】
その場合に、紙幣収納庫１６には機械式の錠が不要であって、それを挿入するための開扉用鍵穴を紙幣収納庫扉２０に設けなくてもよい。したがって、施錠、解錠の手間がかからないだけでなく、その模倣、盗用のおそれや鍵をこじ開けられる心配がなくなって、紙幣収納庫１６のセキュリティが向上する。
【００２３】
ところで、上述の機能だけを有する紙幣収納庫１６では、リモコン装置４が故障した場合や、遊技媒体貸機１Ａ〜１Ｎのリモコン受光部１２にトラブルが発生した場合には、従来は機械式の鍵による解錠が行われなければならない。もちろん、前者の場合は予備のリモコン装置４が用意されていれば対処可能であるが、紙幣収納庫１６のセキュリティ上、機械式の鍵を併用したり複数台のリモコン装置を用意したりすることには問題があった。後者の場合では、リモコン受光部１２は遊技媒体貸機１Ａ〜１Ｎに内蔵され、その交換が必要なために営業時間内に対処することが困難であった。
【００２４】
つぎに、この発明の電子錠装置を構成するリモコン装置４の異なる使用手順について説明する。
図３は、リモコン装置の異なる使用手順における紙幣収納庫の動作状態を示す図である。ここでは、遊技媒体貸機１Ａ〜１Ｎのうち遊技媒体貸機１Ｂの紙幣収納庫１６が満杯になって、その紙幣を回収しようとした場合に、リモコン装置４からの解錠信号が受信できなくなったものとする。
【００２５】
この場合に、遊技媒体貸機１Ｂの解錠を行うには、遊技媒体貸機１Ｂに隣接する遊技媒体貸機１Ａのリモコン受光部１２に対して、リモコン装置４から遊技媒体貸機１ＢのＩＤ信号とともに解錠信号を送信する。すなわち、最初にリモコン装置４のテンキー４４を用いて、遊技媒体貸機１Ｂのアドレスに相当するＩＤ「２」を押下する。つぎに、「個別解錠」キー４２を押下することにより、ＩＤ「２」のアドレス指定を含む送信信号が発射される。
【００２６】
遊技媒体貸機１Ａのリモコン受光部１２では、アドレス指定を含む解錠信号が受信されると、遊技媒体貸機１Ａ内部の制御部では解錠信号に含まれるＩＤ信号のＩＤを解読するとともに、それが記憶されているＩＤと一致するかどうかを判断する。ここでは、遊技媒体貸機１ＡにＩＤ「１」が設定されていて、解錠信号に含まれるＩＤ信号のＩＤ「２」とは異なるため、信号転送路２Ａを介して隣接する遊技媒体貸機１Ｂヘ解錠信号が通知される。
【００２７】
こうして遊技媒体貸機１Ｂに「解錠」が通知されるから、遊技媒体貸機１Ｂでは解錠信号に基づいてアクチュエータが作動することになり、紙幣収納庫扉２０を解錠できる。なお、電子錠装置の施錠については、紙幣収納庫扉２０を閉じたときに自動的にアクチュエータが作動して施錠されるものとする。また、この電子錠装置は遊技媒体貸機の紙幣収納庫以外にも、両替機、キャッシュカード販売機の入金ボックスなどにも適用して、同様の作用効果を奏するものである。
【００２８】
以上のように、この紙幣収納庫１６およびその電子錠装置では、リモコン装置４から紙幣収納庫扉２０の解錠信号と所定のＩＤ信号を送信し、それら解錠信号とＩＤ信号をリモコン受光部１２で受信するとともに受信したＩＤ信号のＩＤを解読して、予め設定された固有のＩＤと一致した場合だけ解錠信号により紙幣収納庫扉２０を開放する信号解読部を備えている。そのため、紙幣収納庫１６には機械式の錠が不要となり、それを挿入するための開扉用鍵穴を紙幣収納庫扉２０に設けなくてもよい。したがって、施錠、解錠の手間がかからないだけでなく、その模倣、盗用のおそれや鍵をこじ開けられる心配がなくなって、紙幣収納庫１６のセキュリティが向上する。
【００２９】
また、リモコン装置４はテンキー４４、「ＩＤ」キー４６などの設定キーにより任意のＩＤを設定して、ＩＤ信号として送信することができる。そのため、予備のリモコン装置４を用意するとともに、例えば日々ＩＤを変更することによって、あるリモコン装置４を盗難された場合に、翌日にはその使用をできなくすることも可能である。したがって、この発明の電子錠装置では、複数台のリモコン装置４を用いた場合でも、高度なセキュリティが実現できる。
【００３０】
さらに、この発明の電子錠装置によれば、それぞれ施錠可能な紙幣収納庫扉２０を備えた複数の遊技媒体貸機１Ａ〜１Ｎにおいて、互いに信号転送路２Ａ，２Ｂ…２（Ｎ−１）によりケーブル接続することにより、転送されてくる解錠信号を解読して紙幣収納庫扉２０を開放するようにしたので、特定のリモコン受光部１２が故障しても他の遊技媒体貸機に設けたリモコン受光部１２を経由する解錠信号によって紙幣収納庫１６を解錠することができる。したがって、機械式の鍵を併用しなくても、緊急時のリモコン受光部１２の故障に対処することができ、しかも機械式の鍵のようにこじ開けられる等の心配がなくなり、セキュリティ向上につながる。
【００３１】
なお、信号転送路２Ａ，２Ｂ…２（Ｎ−１）については、ＲＳ４８５以外にも種々の通信ケーブルを使用することができる。
【図面の簡単な説明】
【００３２】
【図１】実施の形態に係る紙幣収納庫を備えた遊技機の列設状態を示す図である。
【図２】遊技媒体貸機の紙幣収納庫扉を解錠するためのリモコン装置の操作盤を示す図である。
【図３】図２のリモコン装置の異なる使用手順における紙幣収納庫の動作状態を示す図である。
【図４】（ａ）はメダルサンドの構成を示す正面図、（ｂ）はその側面図である。
【符号の説明】
【００３３】
１Ａ〜１Ｎ  遊技媒体貸機
２Ａ，２Ｂ…２（Ｎ−１）  信号転送路
３Ａ〜３Ｎ  遊技機
４  リモコン装置
１０  メダルサンド
１１  紙幣投入用の開口部
１２  リモコン受光部
１３  メダル払出し部
１４  紙幣鑑別部
１５  真正紙幣
１６  紙幣収納庫
１７  メダル補給部
１８  メダルホッパー
１９  制御部
２０  紙幣収納庫扉
２１  メダル補給扉
２２  アクチュエータ
２３  鍵
４１，４２  「個別解錠」キー
４３  「一斉解錠」キー
４４  テンキー
４５  「取消」キー
４６  「ＩＤ」キー
【図１】
2006200139.tif 000003
【図２】
2006200139.tif 000004
【図３】
2006200139.tif 000005
【図４】
2006200139.tif 000006